(57)【要約】【課題】装着者の立ち上がり動作をアシストすることができ、かつ、使用可能な場面の制限が少ない、パッド、衣服、および補助具を提供する。【解決手段】第１の主面と、第１の主面１Ａと反対側に位置する第２の主面１Ｂとを有する板状部１と、第２の主面１Ｂ上に第１の主面１Ａが位置する側と反対の方向に凸状に設けられ、弾性を有する凸部２とを備える。第１の主面１Ａは第２の主面１Ｂが位置する側と反対の方向に凸状である曲面１Ｒを含む。第１の主面１Ａに垂直な方向において積層している凸部２および板状部１の垂直な方向における厚みは、当該垂直な方向における板状部１の厚みよりも厚い。【選択図】図２
2017014645.tif 000002
【特許請求の範囲】
【請求項１】
第１の主面と、前記第１の主面と反対側に位置する第２の主面とを有する板状部と、
前記第２の主面上に前記第１の主面が位置する側と反対の方向に凸状に設けられ、弾性を有する凸部とを備え、
前記第１の主面は、前記第２の主面が位置する側と反対の方向に凸状である曲面を含み、
前記第１の主面に垂直な方向における前記凸部および前記板状部の合計厚みが、前記板状部において前記凸部が位置していない領域での前記板状部の前記垂直な方向における厚みよりも厚い、パッド。
【請求項２】
前記凸部のアスカーＦ硬度が９５以下である、請求項１に記載のパッド。
【請求項３】
直径２０ｍｍのプローブを含み、質量が３ｋｇである錘を、前記プローブが前記凸部に接触した状態で５秒間前記凸部上に載せた後、前記錘を除荷してから前記プローブ痕が消えるまでの時間が、３秒以内である、請求項１または請求項２に記載のパッド。
【請求項４】
前記板状部および前記凸部を構成する材料は、発泡体、ラバー、およびゲルからなる群から選択される少なくとも１つである、請求項１〜請求項３のいずれか１項に記載のパッド。
【請求項５】
前記板状部および前記凸部を覆うように設けられているカバーをさらに備え、
前記第１の主面の前記曲面は、前記カバーにより前記第１の主面が押圧されることにより形成されている、請求項１〜請求項４のいずれか１項に記載のパッド。
【請求項６】
前記凸部は、前記第２の主面の少なくとも１つの端部からの距離が３ｃｍ以上７ｃｍ以下である、請求項１〜請求項５のいずれか１項に記載のパッド。
【請求項７】
前記板状部は、前記凸部から離れるにつれて厚みが薄くなっている、請求項１〜請求項６のいずれか１項に記載のパッド。
【請求項８】
装着者の腰の位置から足首の位置まで延びる足部と、
前記足部の後身における長手方向の中間部に、請求項１〜請求項７のいずれか１項に記載の前記パッドを収容可能に設けられているポケットとを備える、衣服。
【請求項９】
装着者の腰の位置から膝の位置まで延びる足部と、
前記足部の後身における装着者の膝が位置する側の端部に、請求項１〜請求項７のいずれか１項に記載の前記パッドを収容可能に設けられているポケットとを備える、衣服。
【請求項１０】
前記板状部が、前記第２の主面上における少なくとも一方向において前記凸部の両側に延びるように形成されている請求項１〜請求項７のいずれか１項に記載の前記パッドと、
前記一方向において前記パッドの両側に連なるように設けられ、前記パッドと反対側に位置する端部が互いに接続可能に構成されている第１および第２の固定部とを備える、補助具。
【請求項１１】
第１の主面と前記第１の主面と反対側に位置する第２の主面とを有する板状部と、前記第２の主面上に前記第１の主面が位置する側と反対の方向に凸状に設けられ、弾性を有する凸部とを含む、パッドと、
前記パッドを収容可能に設けられているポケット部材とを備え、
前記第１の主面は、前記第２の主面が位置する側と反対の方向に凸状である曲面を含み、
前記第１の主面に垂直な方向における前記凸部および前記板状部の合計厚みが、前記板状部において前記凸部が位置していない領域での前記板状部の前記垂直な方向における厚みよりも厚い、衣服。
【発明の詳細な説明】
【技術分野】
【０００１】
本発明は、パッド、衣服、および補助具に関し、特に装着時に装着者の膝裏に配置されるパッド、当該パッドを収容して当該パッドを膝裏に配置可能とする衣服、および当該パッドを膝裏に固定可能とする補助具に関する。
【背景技術】
【０００２】
膝の屈伸動作を多く行うと、立ち上がり動作により疲労感が蓄積されて、屈伸動作がスムーズに行うことが困難となる。このような問題に対し、膝の屈伸動作をアシストするための道具として、野球のキャッチャー用のクッション（たとえば美津濃株式会社製ニークッション）が知られている。
【０００３】
ニークッションは、野球のキャッチャーが膝を曲げた状態において上腿と下腿との間に挟むように使用される。ニークッションを使用することにより、装着者は立ち上がり動作を楽に行うことができるとともに、膝が屈曲状態にあるときの姿勢を楽に保つことができる。
【先行技術文献】
【非特許文献】
【０００４】
【非特許文献１】美津濃株式会社公式オンラインショップ、ニークッション（２ＹＬ９０５）、［平成２７年６月１８日検索］インターネット（ＵＲＬ：ｈｔｔｐ：／／ｐｒｏｄｕｃｔｓ．ｍｉｚｕｎｏ．ｊｐ／ｃ／ｉｔｅｍ／２ＹＬ９０５９／００１００８００６）
【発明の概要】
【発明が解決しようとする課題】
【０００５】
しかしながら、上記のような野球用のニークッションは、大きく、目立つものである。そのため、使用可能な場面は制限される。
【０００６】
たとえば、介護者は、腰痛の発症を防止する観点から、高齢者や患者等の介護を行う中で腰を曲げる姿勢よりも膝を曲げる姿勢（しゃがみ姿勢）を取ることが推奨される。しかし、介護者は介護をスムーズに行う上で、野球用のニークッションを使用することは困難である。介護者は、膝の屈伸動作の頻度が多くなると、それによる疲労感からしゃがみ姿勢を取りがちになり、介護者は腰を痛めやすいという問題があった。
【０００７】
本発明は、上記のような課題を解決するためになされたものである。本発明の主たる目的は、装着者の立ち上がり動作をアシストすることができ、かつ、使用可能な場面の制限が少ない、パッド、衣服、および補助具を提供することにある。
【課題を解決するための手段】
【０００８】
本発明に係るパッドは、第１の主面と、第１の主面と反対側に位置する第２の主面とを有する板状部と、第２の主面上に第１の主面が位置する側と反対の方向に凸状に設けられ、弾性を有する凸部とを備える。第１の主面は、第２の主面が位置する側と反対の方向に凸状である曲面を含む。第１の主面に垂直な方向における凸部および板状部の合計厚みが、板状部において凸部が位置していない領域での板状部の垂直な方向における厚みよりも厚い。
【発明の効果】
【０００９】
本発明に依れば、装着者の立ち上がり動作をアシストすることができ、かつ、使用可能な場面の制限が少ない、パッド、衣服、および補助具を提供することができる。
【図面の簡単な説明】
【００１０】
【図１】実施の形態１に係るパッドを説明するための正面図である。
【図２】実施の形態１に係るパッドを説明するための側面図である。
【図３】実施の形態１に係るパッドの変形例を説明するための正面図である。
【図４】実施の形態１に係るパッドの他の変形例を説明するための正面図である。
【図５】実施の形態１に係るパッドのさらに他の変形例を説明するための正面図である。
【図６】実施の形態１に係るパッドのさらに他の変形例を説明するための正面図である。
【図７】実施の形態１に係るパッドのさらに他の変形例を説明するための正面図である。
【図８】実施の形態１に係るパッドのさらに他の変形例を説明するための正面図である。
【図９】実施の形態１に係るパッドのさらに他の変形例を説明するための正面図である。
【図１０】実施の形態１に係るパッドのさらに他の変形例を説明するための正面図である。
【図１１】実施の形態１に係るパッドのさらに他の変形例を説明するための正面図である。
【図１２】実施の形態１に係る衣服を説明するための背面図である。
【図１３】実施の形態１に係る衣服の変形例を説明するための背面図である。
【図１４】実施の形態１に係る衣服の他の変形例を説明するための背面図である。
【図１５】実施の形態２に係るパッドを説明するための側面図である。
【図１６】実施の形態３に係る補助具を説明するための側面図である。
【図１７】実施の形態３に係る補助具が備えるパッドを説明するための正面図である。
【図１８】実施の形態３に係る補助具が備えるパッドの変形例を説明するための正面図である。
【図１９】実施の形態３に係る補助具が備えるパッドの他の変形例を説明するための正面図である。
【図２０】実施の形態３に係る補助具が備えるパッドのさらに他の変形例を説明するための正面図である。
【図２１】実施の形態３に係る補助具が備えるパッドのさらに他の変形例を説明するための正面図である。
【図２２】実施の形態３に係る補助具が備えるパッドのさらに他の変形例を説明するための正面図である。
【図２３】実施の形態３に係る補助具が備えるパッドのさらに他の変形例を説明するための正面図である。
【図２４】実施の形態３に係る補助具が備えるパッドのさらに他の変形例を説明するための正面図である。
【図２５】実施の形態４に係る補助具を説明するための側面図である。
【図２６】膝を屈曲させた状態において膝裏に印加される圧力分布を説明するための図である。
【図２７】膝を屈曲させた状態において膝裏に印加される圧力分布を説明するための拡大図である。
【図２８】実施の形態１に係るパッドのさらに他の変形例を説明するための側面図である。
【図２９】実施の形態１に係るパッドのさらに他の変形例を説明するための側面図である。
【図３０】実施の形態２に係るパッドのさらに他の変形例を説明するための側面図である。
【図３１】実施の形態３に係る補助具が備えるパッドのさらに他の変形例を説明するための側面図である。
【発明を実施するための形態】
【００１１】
以下、図面を参照して、本発明の実施の形態について説明する。なお、以下の図面において同一または相当する部分には同一の参照番号を付し、その説明は繰返さない。
【００１２】
（実施の形態１）
図１および図２を参照して、実施の形態１に係るパッド１０について説明する。図１はパッド１０の平面図であり、図２はパッド１０の側面図である。パッド１０は、板状部１と凸部２とを備える。
【００１３】
板状部１は、第１の主面１Ａと第１の主面１Ａと反対側に位置する第２の主面１Ｂとを有している。板状部１の平面形状は、たとえば略長方形状である。板状部１は、短手方向における一端および他端（以下、いずれも端部１Ｅという）と、長手方向における一端および他端（以下、いずれも端部１Ｄという）とを有しており、４隅に位置する角１Ｃは角丸である。
【００１４】
板状部１を構成する材料は、クッション性を有する任意の材料とすればよいが、好ましくはアスカーＦ硬度が９５以下の材料であり、より好ましくはアスカーＦ硬度が９０以下の材料であり、より好ましくはアスカーＦ硬度が８５以下の材料である。板状部１を構成する材料は、後述する凸部２を構成する材料と同一であってもよい。板状部１を構成する材料は、たとえば発泡体、ラバー、およびゲルからなる群から選択される少なくとも１つである。板状部１の第１の主面１Ａは、第２の主面１Ｂが位置する側と反対の方向に凸状である曲面１Ｒを含む。言い換えると、第１の主面１Ａにおいて後述する凸部２と重ならない領域（板状部１の短手方向に伸びる両端部１Ｄを含み、長手方向において凸部２を挟んで互いに間隔を隔てている領域）は、第２の主面１Ｂが位置する側に湾曲している曲面１Ｒを有している。板状部１の端部１Ｄ，１Ｅは、第１の主面１Ａおよび第２の主面１Ｂに接続されている４つの側面により構成されている。板状部１の端部１Ｅは、第１の主面１Ａおよび第２の主面１Ｂに交差する方向に伸びる面（たとえば第１の主面１Ａに垂直な面）として形成されている。板状部１の端部１Ｄは、第１の主面１Ａおよび第２の主面１Ｂに交差する方向に伸びる面（たとえば曲面１Ｒに垂直な面）として形成されている。
【００１５】
板状部１の端部１Ｅの長さは、装着者の膝部の幅方向における長さ（身体の身長方向と交差する方向における膝部の幅）と同等以下に設けられており、たとえば１００ｍｍ以上２１０ｍｍ以下である。板状部１の端部１Ｄの長さは、たとえば３０ｍｍ以上１２０ｍｍ以下である。板状部１の第１の主面１Ａに垂直な方向における厚みは、たとえば２ｍｍ以上３０ｍｍ以下である。板状部１の当該厚みは、たとえば一定である。
【００１６】
凸部２は、板状部１の第２の主面１Ｂ上に第１の主面１Ａが位置する側と反対の方向に凸状に設けられている。凸部２は、弾性を有している。凸部２を構成する材料は、弾性を有する任意の材料とすればよいが、好ましくはアスカーＦ硬度が９５以下の材料であり、より好ましくはアスカーＦ硬度が９０以下の材料であり、より好ましくはアスカーＦ硬度が８５以下の材料である。板状部１と凸部２とは、任意の方法により固定されていればよいが、たとえば両面テープにより接着されている。
【００１７】
凸部２は、第２の主面１Ｂと接している面の反対側に位置する第３の主面２Ｂを有している。第３の主面２Ｂの面積は、第２の主面１Ｂの面積よりも小さい。凸部２の平面形状は、たとえば略正方形状であり、４隅に位置する角２Ｃは角丸である。凸部２は、板状部１の短手方向に沿った方向における一端および他端（以下、いずれも端部２Ｅという）と、板状部１の長手方向に沿った方向における一端および他端（以下、いずれも端部２Ｄという）とを有している。凸部２の端部２Ｄ，２Ｅは、第２の主面１Ｂおよび第３の主面２Ｂに交差する方向に伸びる面として形成されている。
【００１８】
板状部１の短手方向に沿った方向における凸部２の一端（端部２Ｅ）は、板状部１の短手方向における一端（端部１Ｅ）と間隔（距離Ｌ１）を隔てるように設けられている。板状部１の短手方向に沿った方向における凸部２の他端（端部２Ｅ）は、板状部１の短手方向における他端（端部１Ｅ）と連なるように設けられている。板状部１の長手方向に沿った方向における凸部２の一端および他端（端部２Ｄ）は、板状部１の長手方向における一端および他端（端部１Ｄ）とそれぞれ間隔（距離Ｌ２）を隔てるように設けられている。つまり、凸部２は、板状部１の長手方向において板状部１の中央部に設けられている。凸部２の端部２Ｅと板状部１の端部１Ｅとの距離Ｌ１は、３ｃｍ以上７ｃｍ以下であるのが好ましい。凸部２の端部２Ｄと板状部１の端部１Ｄとの距離Ｌ２は、４ｃｍ以上８ｃｍ以下であるのが好ましい。
【００１９】
凸部２の端部２Ｄの長さは、たとえば２０ｍｍ以上５０ｍｍ以下である。凸部２の端部２Ｅの長さは、たとえば２０ｍｍ以上５０ｍｍ以下である。凸部２の第１の主面１Ａに垂直な方向における厚みは、たとえば２ｍｍ以上２０ｍｍ以下である。
【００２０】
パッド１０において、第１の主面１Ａに垂直な方向における凸部２および板状部１の合計厚みが、板状部１において凸部２が位置していない領域での板状部１の当該垂直な方向における厚みよりも厚い。言い換えると、第１の主面１Ａに垂直な方向において積層している凸部２と板状部１との合計の厚みは、当該垂直な方向における板状部１の厚みよりも厚い。パッド１０は、凸部２が位置している領域において、高い復元性（反発性）を有している。直径が２０ｍｍの接触面を有するプローブを含み質量が３ｋｇである錘を、プローブの接触面が凸部２の第３の主面２Ｂに接触した状態で５秒間当該凸部２上に載せる。このとき、錘を除荷してからパッド１０からプローブ痕が消えるまでの時間は、３秒以内であるのが好ましい。より好ましくは、錘を除荷してからパッド１０からプローブ痕が消えるまでの時間は２秒以内であり、より好ましくは錘を除荷してからパッド１０からプローブ痕が消えるまでの時間は１秒以内である。
【００２１】
次に、パッド１０の使用方法について説明する。図１２〜図１４を参照して、パッド１０は、膝裏に配置されて使用される。パッド１０は、たとえば衣服１５，１６，１７に固定されることにより、当該衣服１５，１６，１７を装着した装着者の膝裏に配置される。衣服１５はスラックス、衣服１６はハーフパンツ、衣服１７はソックスとしてそれぞれ構成されている。図１２に示されるように、スラックスとして構成されている衣服１５は、装着者の腰から足首の位置まで延びる足部３０と、パッド１０を収容可能に設けられているポケット部材３１とを備える。ポケット部材３１は、足部３０の後身における長手方向（身長方向）の中間部に設けられている。たとえば、ポケット部材３１は、衣服１５を装着した装着者の足首が位置する側（下方）のポケット部材３１の端部（下方端部）と、該装着者の膝の曲げ中心Ｃ１とが、立位時に装着者の身長方向において重なるように設けられている。すなわち、ポケット部材３１は、膝の曲げ中心Ｃ１よりも上方（足部３０における上腿側）に設けられている。この場合、図１２に示されるように、パッド１０は、板状部１の短手方向が衣服１５の身長方向に沿うように配置される。さらにパッド１０は、板状部１において凸部２の端部２Ｅ（図１参照）から距離Ｌ１を隔てて設けられている端部１Ｅがポケット部材３１の上記下方端部に面するように、ポケット部材３１に収容される。これにより、凸部２は、装着者の膝の曲げ中心Ｃ１から上記距離Ｌ１（図１参照）の位置に配置される。衣服１５において、ポケット部材３１は２つの足部３０の少なくともいずれか一方に設けられていればよいが、たとえばポケット部材３１は両方の足部３０に設けられている。
【００２２】
なお、ポケット部材３１は、衣服１５を装着した装着者の腰が位置する側（上方）のポケット部材３１の端部（上方端部）と、該装着者の膝の曲げ中心Ｃ１とが、立位時に装着者の身長方向において重なるように設けられていてもよい。すなわち、ポケット部材３１は、膝の曲げ中心Ｃ１よりも下方（足部３０における下腿側）に設けられていてもよい。この場合には、パッド１０は、板状部１の短手方向が衣服１５の身長方向に沿うとともに、板状部１において凸部２の端部２Ｅ（図１参照）から距離Ｌ１を隔てて設けられている端部１Ｅがポケット部材３１の上記上方端部に面するように、ポケット部材３１に収容される。これにより、凸部２は、装着者の膝の曲げ中心Ｃ１から上記距離Ｌ１（図１参照）の位置に配置される。
【００２３】
また、ポケット部材３１は、立位時において、ポケット部材３１の下方端部が該装着者の膝の曲げ中心Ｃ２（図１２参照）よりも下方に位置するとともに、ポケット部材３１の上方端部が当該曲げ中心Ｃ２よりも上方に位置するように設けられていてもよい。つまり、パッド１０は、板状部１が曲げ中心Ｃ２と重なるように配置されていてもよい。このようにしても、パッド１０は、膝の屈曲時において、板状部１の短手方向における端部１Ｅが膝の曲げ中心Ｃ２と重なる位置まで上方に移動する。そのため、凸部２は、装着者の膝の曲げ中心Ｃ１から上記距離Ｌ１（図１参照）の位置に配置され得る。
【００２４】
また、図１３に示されるように、ハーフパンツとして構成されている衣服１６は、装着者の腰から膝の位置まで延びる足部３０と、パッド１０を収容可能に設けられているポケット部材３１とを備える。このとき、ポケット部材３１は、衣服１６を装着した装着者の膝が位置する側（下方）のポケット部材３１の端部（下方端部）と、該装着者の膝の曲げ中心Ｃ１とが、立位時に装着者の身長方向において重なるように設けられているのが好ましい。この場合、ポケット部材３１は、たとえば足部３０の後身における長手方向（身長方向）の装着者の膝が位置する側の端部に設けられている。パッド１０は、板状部１の短手方向が衣服１６の長手方向（身長方向）に沿うとともに、板状部１において凸部２の端部２Ｅ（図１参照）から距離Ｌ１を隔てて設けられている端部１Ｅがポケット部材３１の上記下方端部に面するように、ポケット部材３１に収容される。このようにしても、凸部２は、装着者の膝の曲げ中心Ｃ１から上記距離Ｌ１（図１参照）の位置に配置される。
【００２５】
また、図１４に示されるように、ソックスとして構成されている衣服１７は、装着者の足先から膝の位置まで延びる足部３０と、パッド１０を収容可能に設けられているポケット部材３１とを備える。このとき、ポケット部材３１は、ポケット部材３１の上方端部と、該装着者の膝の曲げ中心Ｃ１とが、立位時に装着者の身長方向において重なるように設けられているのが好ましい。この場合、ポケット部材３１は、足部３０の後身における長手方向の装着者の膝が位置する側の端部に設けられている。パッド１０は、板状部１の短手方向が衣服１７の長手方向（身長方向）に沿うとともに、板状部１において凸部２の端部２Ｅ（図１参照）と連なるように設けられていない側の端部１Ｅがポケット部材３１の上記上方端部に面するように、ポケット部材３１に収容される。このようにしても、凸部２は、装着者の膝の曲げ中心Ｃ１から上記距離Ｌ１（図１参照）の位置に配置される。
【００２６】
図１２〜図１４に示される衣服１５〜１７において、ポケット部材３１は、パッド１０を出し入れ可能に設けられているのが好ましい。このようにすれば、たとえばパッド１０が劣化した場合に、パッド１０のみを交換して衣服１５〜１７を継続使用することが可能となる。
【００２７】
次に、パッド１０の作用効果について説明する。本願発明者は鋭意研究の結果、立ち上がり動作の際に膝裏に印加される圧力には、大小の分布が形成されていることを確認した。図２６および図２７は、膝を屈曲させた状態において膝裏に印加される圧力分布を説明するための図である。なお、図２６及び図２７における圧力分布は、実際の測定された圧力値を３つの数値範囲に振り分けることにより３つの領域として図示したものである。図２６および図２７に示されるように、屈曲時に最も大きな力が付与される膝裏の領域Ａ１は、身長方向において膝の曲げ中心Ｃから３ｃｍ以上７ｃｍ以下離れていた。また、当該領域Ａ１は、幅方向において膝の中央部に形成されていた。領域Ａ１は、身長方向および幅方向における幅が４ｃｍ平方であった。領域Ａ１よりも付与される圧力が小さい膝裏の領域Ａ２は、領域Ａ１を囲むように形成されており、さらに領域Ａ２よりも付与される圧力が小さい膝裏の領域Ａ３は、領域Ａ２を囲むように形成されていた。
【００２８】
立ち上がり動作時には、膝を屈曲させた状態において膝裏に付与されている圧力に逆らう向きに当該圧力以上の大きさの力が必要になる。本願発明者は、このような立ち上がり動作をアシストするための力（反発力）に膝裏に付与するという着想のもと、大きな反発力を付与すべき領域は図２７に示される領域Ａ１であることを見出した。また、本願発明者は、官能試験により膝裏全体に大きな反発力を付与した場合に、装着者が膝の屈伸動作時に違和感や痛みを感じる傾向にあることを確認した。本願発明者は、装着者の立ち上がり動作をアシストすることができ、また装着時の違和感や痛みが抑制されており、使用可能な場面の制限が少ないパッドとして、実施の形態１に係るパッド１０を創作した。
【００２９】
実施の形態１に係るパッド１０は、板状部１と凸部２とを備える。板状部１は、第１の主面と、第１の主面１Ａと反対側に位置する第２の主面１Ｂとを有する。凸部２は、第２の主面１Ｂ上に第１の主面１Ａが位置する側と反対の方向に凸状に設けられ、弾性を有する。第１の主面１Ａは第２の主面１Ｂが位置する側と反対の方向に凸状である曲面を含む。第１の主面１Ａに垂直な方向における凸部２および板状部１の合計厚みが、板状部１において凸部２が位置していない領域での板状部１の当該垂直な方向における厚みよりも厚い。
【００３０】
このようにすれば、パッド１０は、凸部２が図２７に示される領域Ａ１に面するように装着者の膝裏に配置され得る。装着者の膝裏に配置されたパッド１０において、上記垂直な方向に積層している凸部２および板状部１には膝の屈曲時に大きな圧力が付与される。そのため、立ち上がり時において凸部２および板状部１は膝裏の上記領域Ａ１に対し、膝を伸長させる方向に作用する大きな反発力を付与することができる。その結果、パッド１０は、装着者に対し、膝を屈曲させた状態からの立ち上がり動作をアシストすることができる。
【００３１】
このとき、パッド１０は、上記のような構成を有しているため、板状部１の長手方向における長さを装着者の膝部の幅方向における長さ（身体の身長方向と交差する方向における膝部の幅）と同等以下とすることができる。また、第１の主面１Ａは、端部１Ｄに連なる部分において、第２の主面１Ｂが位置する側と反対の方向に凸状である曲面１Ｒを含むため、パッド１０が装着者の膝裏に装着されたときに外側に面するように配置される第１の主面１Ａが装着者の膝裏の形状（身長方向に垂直な面における膝裏形状）に沿うように配置される。これにより、パッド１０は、従来のキャッチャー用ニークッションと比べて小型化が可能であり、当該ニークッションと比べて装着したときに目立ちにくくすることができる。また、着用感を向上させることも可能である。そのため、パッド１０は、使用可能な場面の制限が少なく、たとえば腰ではなく膝の屈伸動作が推奨される場面（たとえば介護など）において特に好適である。
【００３２】
また、パッド１０において、凸部２は、第２の主面１Ｂ上に凸状に設けられており、かつ、第１の主面１Ａに垂直な方向において積層している凸部２および板状部１の垂直な方向における厚みが、垂直な方向における板状部１の厚みよりも厚い。つまり、パッド１０を平面視したときに、板状部１は、凸部２と板状部１とが積層している部分に隣接して設けられている。
【００３３】
このようにすれば、凸部２が図２７に示される領域Ａ１に面するようにパッド１０を装着者の膝裏に配置したときに、板状部１は図２７に示される領域Ａ２において少なくとも領域Ａ１に隣接する部分に面するように配置される。さらにこのとき、板状部１は、領域Ａ３において領域Ａ２に隣接する部分に面するように配置され得る。これにより、領域Ａ２，Ａ３には領域Ａ１に付与されるほどの大きな反発力は付与されず、また、領域Ａ２，Ａ３において少なくとも領域Ａ１に隣接する部分にはクッション性を有する板状部１が接触するため、装着者が屈伸動作時に違和感や痛みを感じることを防止することができる。
【００３４】
上記パッド１０は、凸部２のアスカーＦ硬度が９５以下である。
このようにすれば、装着者が膝を曲げて凸部２が膝裏の領域Ａ１に押し付けられている状態においても、装着者が痛みを感じることを防止することができる。凸部２のアスカーＦ硬度が９０以下とすれば、装着者が膝を曲げて凸部２が膝裏の領域Ａ１に押し付けられている状態においても、装着者が痛みを感じることをより防止することができる。凸部２のアスカーＦ硬度が８５以下とすれば、装着者が膝を曲げて凸部２が膝裏の領域Ａ１に押し付けられている状態においても、装着者が痛みを感じることをさらに防止することができる。
【００３５】
上記パッド１０において、凸部２は、第２の主面１Ｂの少なくとも１つの端部１Ｅからの距離Ｌ１が３ｃｍ以上７ｃｍ以下である。
【００３６】
このようにすれば、板状部１の端部１Ｅを膝の曲げ中心Ｃ１（図１２、図２６および図２７参照）と重なるように配置することにより、図２７に示される膝裏の領域Ａ１に凸部２を容易に当接させることができる。このようなパッド１０は、たとえば図１２〜図１４に示される衣服１５，１６，１７のポケット部材３１に収容されることにより、板状部１の端部１Ｅを膝の曲げ中心Ｃ１と重なるように配置され、凸部２が装着者の膝裏の領域Ａ１と当接する位置に容易に配置され得る。その結果、立ち上がり時において凸部２および板状部１は膝裏の上記領域Ａ１に対し、膝を伸長させる方向に作用する大きな反発力を付与することができる。また、このようにすれば、図２７に示される膝裏の領域Ａ２，Ａ３に凸部２が当接することを抑制することができる。そのため、装着者が膝の屈伸動作時に違和感や痛みを感じることを抑制することができる。
【００３７】
なお、実施の形態１に係るパッド１０は、図１および図２に示させるものに限られない。図３〜図１１を参照して、パッド１０の変形例について説明する。
【００３８】
図３に示されるパッド１０は、基本的には図１および図２に示されるパッド１０と同様の構成を備えているが、凸部２が板状部１の短手方向における両端部１Ｅ間に延びるように形成されている点で異なる。凸部２の平面形状は、たとえば略長方形状である。板状部１の短手方向に沿った方向における凸部２の一端および他端（端部２Ｅ）は、板状部１の短手方向における一端および他端（端部１Ｅ）と連なるように設けられている。板状部１の長手方向に沿った方向における凸部２の一端および他端（端部２Ｄ）は、板状部１の長手方向における一端および他端（端部１Ｄ）とそれぞれ間隔を隔てるように設けられている。このようなパッド１０は、図１２〜図１４に示されるような衣服１５，１６，１７のポケット部材３１に収容されて使用され得る。これにより、図２７に示される領域Ａ１に対して凸部２および凸部２と積層している板状部１により大きな反発力を付与することができる。このときポケット部材３１の上記下方端部が装着者の膝の曲げ中心Ｃ１（図２６および図２７参照）と重なるように設けられているのが好ましい。このようにすれば、図２７に示される膝裏の領域Ａ２，Ａ３に凸部２が当接することを抑制することができるため、装着者が膝の屈伸動作時に違和感や痛みを感じることを抑制することができる。
【００３９】
図４に示されるように、パッド１０は、板状部１の４隅に位置する角１Ｃが角丸でなく角であってもよい。このような構成を備えるパッド１０は、図１および図２に示されるパッド１０と同様の効果を奏することができる。
【００４０】
図５に示されるように、パッド１０は、板状部１の長手方向に伸びる端部１Ｅの中央部が、その両端部（角１Ｃ）よりも板状部１の短手方向に凹んでいてもよい。また、板状部１の短手方向に伸びる端部１Ｄの中央部が、その両端部（角１Ｃ）よりも板状部１の長手方向に凹んでいてもよい。板状部１の短手方向に沿った方向における凸部２の一端および他端（端部２Ｅ）は、板状部１の短手方向における一端および他端（端部１Ｅ）とそれぞれ間隔を隔てるように設けられていてもよい。凸部２の端部２Ｅの中央部は、その両端部（角２Ｃ）よりも板状部１の短手方向に凹んでいてもよい。このような構成を備えるパッド１０は、図１および図２に示されるパッド１０と同様の効果を奏することができる。
【００４１】
図６および図７は、パッド１０の変形例としてのパッド１１を説明するための図である。図６および図７に示されるパッド１１は、基本的には図１および図２に示されるパッド１０と同様の構成を備えているが、板状部１の第２の主面１Ｂ上に第１の主面１Ａが位置する側と反対の方向に凸状に設けられている中間層部３をさらに備えている点で異なる。
【００４２】
中間層部３は、板状部１の第２の主面１Ｂと接している面と反対側に位置する第４の主面３Ｂを有している。凸部２は、中間層部３の第４の主面３Ｂ上に第１の主面１Ａが位置する側と反対の方向に凸状に設けられている。中間層部３の平面形状は、たとえば略長方形状である。中間層部３の第４の主面３Ｂの面積は、板状部１の第２の主面１Ｂの面積よりも小さく、凸部２の第３の主面２Ｂよりも大きい。中間層部３の４隅に位置する角３Ｃは、たとえば角丸に設けられている。中間層部３は、板状部１の短手方向に沿った方向における一端および他端（以下、いずれも端部３Ｅという）と、板状部１の長手方向に沿った方向における一端および他端（以下、いずれも端部３Ｄという）とを有している。
【００４３】
板状部１の短手方向に沿った方向における中間層部３の一端（端部３Ｅ）は、板状部１の短手方向における一端（端部１Ｅ）および凸部２の一端（端部２Ｅ）と連なるように設けられている。板状部１の短手方向に沿った方向における中間層部３の他端（端部３Ｅ）は、板状部１の短手方向における他端（端部１Ｅ）と凸部２の他端（端部２Ｅ）との間に位置するように設けられている。板状部１の長手方向に沿った方向における中間層部３の一端および他端（端部３Ｄ）は、板状部１の長手方向における一端および他端（端部１Ｄ）とそれぞれ間隔を隔てているとともに、凸部２の一端および他端（端部２Ｄ）ともそれぞれ間隔を隔てて設けられている。
【００４４】
中間層部３を構成する材料は、クッション性を有する任意の材料とすればよいが、好ましくはアスカーＦ硬度が９５以下の材料であり、より好ましくはアスカーＦ硬度が９０以下の材料であり、より好ましくはアスカーＦ硬度が８５以下の材料である。中間層部３を構成する材料は、板状部１または凸部２を構成する材料と同一であってもよい。中間層部３を構成する材料は、たとえば発泡体、ラバー、およびゲルからなる群から選択される少なくとも１つである。
【００４５】
このようなパッド１１は、凸部２が弾性を有している。また、パッド１１において、第１の主面１Ａに垂直な方向において積層している凸部２、中間層部３および板状部１の当該垂直な方向における厚みが、当該垂直な方向における板状部１の厚みまたは中間層部３および板状部１の厚みよりも厚い。また、板状部１の第１の主面１Ａは、第２の主面１Ｂが位置する側と反対の方向に凸状である曲面１Ｒを含んでいる。そのため、図６および図７に示されるパッド１１は、図１および図２に示されるパッド１０と同様の効果を奏することができる。
【００４６】
図８に示されるように、パッド１１は、凸部２および中間層部３が板状部１の長手方向に伸びる両端部１Ｅ間に延びるように形成されていてもよい。凸部２および中間層部３の平面形状は、たとえば略長方形状である。板状部１の短手方向に沿った方向における中間層部３の一端および他端（端部３Ｅ）は、板状部１の短手方向における一端および他端（端部１Ｅ）、並びに凸部２の一端および他端（端部２Ｅ）と連なるように設けられている。板状部１の長手方向に沿った方向における中間層部３の一端および他端（端部３Ｄ）は、板状部１の長手方向における一端および他端（端部１Ｄ）、並びに凸部２の一端および他端（端部２Ｄ）とそれぞれ間隔を隔てるように設けられている。このような構成を備えるパッド１１は、図６および図７に示されるパッド１１と同様の効果を奏することができ、図１および図２に示されるパッド１０と同様の効果を奏することがでる。
【００４７】
図９に示されるように、パッド１１は、４隅に位置する角１Ｃが角丸でなく角であってもよい。このような構成を備えるパッド１１は、図６および図７に示されるパッド１１と同様の効果を奏することができ、図１および図２に示されるパッド１０と同様の効果を奏することがでる。
【００４８】
図１０に示されるように、パッド１１は、板状部１の長手方向に伸びる端部１Ｅの中央部が、その両端部（角１Ｃ）よりも板状部１の短手方向に凹んでいてもよい。また、板状部１の短手方向に伸びる端部１Ｄの中央部が、その両端部（角１Ｃ）よりも板状部１の長手方向に凹んでいてもよい。
【００４９】
板状部１の短手方向に沿った方向における中間層部３の一端および他端（端部３Ｅ）は、板状部１の短手方向における一端および他端（端部１Ｅ）とそれぞれ間隔を隔てているとともに、凸部２の一端および他端（端部２Ｅ）とそれぞれ間隔を隔てて設けられていてもよい。中間層部３の端部３Ｅの中央部は、その両端部（角３Ｃ）よりも板状部１の短手方向に凹んでいてもよい。凸部２は、端部２Ｅが中間層部３の端部３Ｅと間隔を隔てて設けられていてもよい。凸部２の端部２Ｅの中央部は、その両端部（角２Ｃ）よりも板状部１の短手方向に凹んでいてもよい。このような構成を備えるパッド１１は、図６および図７に示されるパッド１１と同様の効果を奏することができ、図１および図２に示されるパッド１０と同様の効果を奏することがでる。
【００５０】
図１１は、パッド１０，１１の変形例としてのパッド１２を説明するための図である。図１１に示されるパッド１２は、基本的には図１および図２に示されるパッド１０と同様の構成を備えているが、凸部２の端部２Ｄ，２Ｅに形成されている４つの側面のうち、少なくとも１つの側面が第３の主面２Ｂに対して鈍角を成すとともに第２の主面１Ｂに対して鋭角を成すように形成されている点で異なる。図１１に示されるように、第３の主面２Ｂを挟んで互いに対向する端部２Ｄを構成する２つの側面が、それぞれ第３の主面２Ｂに対して鈍角を成すとともに第２の主面１Ｂに対して鋭角を成すように形成されていてもよい。また、図１に示されるように凸部２の一方の端部２Ｅが板状部１の一方の端部１Ｅと連なるように設けられている場合には、凸部２において板状部１の端部１Ｅと連なるように形成されていない他方の端部２Ｅを構成する側面が、端部２Ｄを構成する２つの側面と同様に、第３の主面２Ｂに対して鈍角を成すとともに第２の主面１Ｂに対して鋭角を成すように形成されていてもよい。このような構成を備えるパッド１２は、第１の主面１Ａに垂直な方向において積層している凸部２および板状部１の当該垂直な方向における厚みが、当該垂直な方向における板状部１の厚みよりも徐々に厚くなるように設けられている。そのため、このようなパッド１２によれば、図１に示されるパッド１０と比べて装着者が膝の屈伸動作時に違和感や痛みをより感じ難くすることができる。
【００５１】
また、図６〜図１０に示される凸部２の端部２Ｄ，２Ｅを形成している４つの側面についても、そのうちの少なくとも１つの側面が第３の主面２Ｂに対して鈍角を成すとともに第２の主面１Ｂに対して鋭角を成すように形成されていてもよい。このようにしても、パッド１２は、第１の主面１Ａに垂直な方向において積層している凸部２および板状部１の当該垂直な方向における厚みが、当該垂直な方向における板状部１の厚みよりも徐々に厚くなるように設けられている。そのため、このようなパッド１２によれば、図１に示されるパッド１０と比べて装着者が膝の屈伸動作時に違和感や痛みをより感じ難くすることができる。また、中間層部３の端部３Ｄ，３Ｅを形成している４つの側面についても、そのうちの少なくとも１つの側面が第４の主面３Ｂに対して鈍角を成すとともに第２の主面１Ｂに対して鋭角を成すように形成されていてもよい。このようにしても、第１の主面１Ａに垂直な方向において積層している中間層部３および板状部１の当該垂直な方向における厚みが、当該垂直な方向における板状部１の厚みよりも徐々に厚くなるように設けられている。そのため、このようなパッド１２によれば、装着者が膝の屈伸動作時に違和感や痛みをより感じ難くすることができる。
【００５２】
（実施の形態２）
次に、図１５を参照して、実施の形態２に係るパッド１３について説明する。パッド１３は、基本的には実施の形態１に係るパッド１０と同様の構成を備えているが、板状部１および凸部２を覆うように設けられているカバー４をさらに備えている点で異なる。
【００５３】
カバー４は、板状部１の第１の主面１Ａに面している第１の部分４Ａと、板状部１の第２の主面１Ｂと凸部２の第３の主面２Ｂに面している第２の部分４Ｂとを有している。第１の部分４Ａおよび第２の部分４Ｂは、互いに接続されている。第１の部分４Ａには、板状部１の長手方向において板状部１の中央部側に向かう張力が付与されている。第２の部分４Ｂは、第１の部分４Ａに付与されている当該張力を受けて、第１の部分４Ａ側に向かって引っ張られている。第１の部分４Ａおよび第２の部分４Ｂは、第１の部分４Ａおよび第２の部分４Ｂに対して上述のような張力を付与し得る限りにおいて任意の構成を有していればよい。たとえば第１の部分４Ａおよび第２の部分４Ｂを構成する材料は、それぞれ同一とする。板状部１の長手方向に沿った第１の部分４Ａの長さは、板状部１の長手方向に沿った第２の部分４Ｂの長さよりも短く設けられている。このような第１の部分４Ａの周囲と第２の部分４Ｂの周囲とがパッド１０を挟んだ状態で接続される（たとえば縫い合わされる）ことにより、板状部１の第１の主面１Ａはカバー４により押圧されている。カバー４を構成する材料は、伸縮性を有する任意の材料であればよいが、好ましくは吸湿性を有する材料または肌当たりの良い材料の少なくともいずれか１つを含む。カバー４の第１の部分４Ａおよび第２の部分４Ｂは、たとえば１つの布状物が折り返されることにより構成されていてもよい。また、カバー４の第１の部分４Ａおよび第２の部分４Ｂは、それぞれ異なる布状物により構成されていてもよい。
【００５４】
このような構成を備えるパッド１３によれば、カバー４により板状部１の第１の主面１Ａを押圧することができるため、板状部１の単体の形状によらず第１の主面１Ａに所定の曲率を有する曲面１Ｒを形成することができる。また、カバー４の第１の部分４Ａに所定の曲率を有する曲面部４Ｒを形成することができる。つまり、パッド１３において、板状部１は、単体としては直方体状に形成されていてもよい。このようにしても、直方体状の板状部１には、第１の主面１Ａがカバー４により押圧されることにより、第１の主面１Ａにおいて板状部１の端部１Ｄに連なる部分には曲面１Ｒが形成される。カバー４の第１の部分４Ａには、第１の主面１Ａの曲面１Ｒに沿って曲げられている曲面部４Ｒが形成される。第１の主面１Ａおよびカバー４の第１の部分４Ａは、パッド１０が装着者の膝裏に装着されたときに外側に面するように配置される。
【００５５】
そのため、パッド１３は、板状部１の単体の形状によらずに、従来のキャッチャー用ニークッションと比べて小型化が可能であり、当該ニークッションと比べて装着したときに目立ちにくくすることができ、また着用感を向上させることができる。また、パッド１３は、カバー４を構成する材料が吸湿性を有する材料または肌当たりの良い材料の少なくともいずれか１つを含む場合には、着用感をさらに向上させることができる。
【００５６】
（実施の形態３）
次に、図１６および図１７を参照して、実施の形態３に係る補助具２０について説明する。補助具２０は、パッド２１と、第１および第２の固定部５，６を備えている。パッド２１は、実施の形態１または実施の形態２に係るパッド１０〜１３と同様の構成を備えていればよく、たとえば図３に示されるパッド１０と基本的に同様の構成を備えている。パッド１０〜１３は衣服１５〜１７に設けられたポケット部材３１に収容されることにより、装着者の膝裏に配置され得るが、補助具２０におけるパッド２１は第１および第２の固定部５，６により装着者の膝裏に配置される。
【００５７】
第１および第２の固定部５，６は、パッド２１の板状部１の長手方向に沿って延びるように形成されている。第１および第２の固定部５，６の延在方向における一方の端部は、凸部２の端部２Ｄから間隔を隔てて設けられている板状部１の端部１Ｄまたはその近傍に位置する部分に、それぞれ任意の方法により接続されている。第１および第２の固定部５，６の延在方向における他方の端部には、互いに接触したときに固定可能に設けられている第１固定部材５０および第２固定部材６０がそれぞれ設けられている。第１固定部材５０および第２固定部材６０は、互いに固定可能に設けられている限りにおいて任意の構成を備えていればよく、たとえば、磁石、マジックテープ（登録商標）、ホック・ボタン等であってもよい。第１固定部材５０および第２固定部材６０は、任意の方法により第１および第２の固定部５，６上にそれぞれ設けられていればよいが、たとえば第１および第２の固定部５，６に縫着されている。また、第１固定部材５０および第２固定部材６０は、第１および第２の固定部５，６の延在方向に互いに間隔を隔てて複数設けられていてもよい。
【００５８】
このような構成を備える補助具２０によれば、パッド２１をポケット部材３１に収容させた衣服１５〜１７を装着することなく、第１および第２の固定部５，６によってパッド２１を装着者の膝裏に配置することができる。また、補助具２０によれば、膝裏に対してパッド２１を位置合わせする際の自由度が衣服１５〜１７と比べて大きいため、装着者は自身にとって適当な位置にパッド２１を位置合わせすることが可能となる。つまり、補助具２０によれば、装着者が第１および第２の固定部５，６による固定位置を調整することにより、凸部２を図２７に示される膝裏の領域Ａ１に容易に当接させることができる。
【００５９】
なお、第１および第２の固定部５，６の延在方向における一方の端部は、凸部２の端部２Ｄから間隔を隔てて設けられている板状部１の端部１Ｄまたはその近傍に位置する部分に、それぞれ着脱可能に接続されていてもよい。
【００６０】
なお、実施の形態３に係る補助具２０におけるパッド２１は、図１６および図１７に示させるものに限られない。図１８〜図２３を参照して、パッド２１の変形例について説明する。図１８〜図２３は、パッド２１の変形例を説明するための平面図である。
【００６１】
図１８に示されるように、パッド２１は、板状部１の平面形状が楕円形状であり、凸部２の平面形状が円形状であってもよい。凸部２は、たとえば、平面視したときに板状部１に内接するように設けられている。この場合、第１および第２の固定部５，６は、たとえば楕円の円周に沿って設けられている板状部１の端部１Ｅにおいて凸部２から最も離れた位置にそれぞれ接続されている。このような構成を有するパッド２１を備える補助具２０は、図１６に示される補助具２０と同様の効果を奏することができる。
【００６２】
図１９に示されるように、パッド２１は、板状部１の４隅に位置する角１Ｃが角丸でなく角であってもよい。このような構成を有するパッド２１を備える補助具２０は、図１６に示される補助具２０と同様の効果を奏することができる。
【００６３】
図２０に示されるように、パッド２１は、板状部１の長手方向に伸びる端部１Ｅの中央部が、その両端部（角１Ｃ）よりも板状部１の短手方向に凹んでいてもよい。また、板状部１の短手方向に伸びる端部１Ｄの中央部が、その両端部（角１Ｃ）よりも板状部１の長手方向に凹んでいてもよい。板状部１の短手方向に沿った方向における凸部２の一端および他端（端部２Ｅ）は、板状部１の短手方向における一端および他端（端部１Ｅ）とそれぞれ間隔を隔てるように設けられていてもよい。凸部２の端部２Ｅの中央部は、その両端部（角２Ｃ）よりも板状部１の短手方向に凹んでいてもよい。このような構成を有するパッド２１を備える補助具２０は、図１６に示される補助具２０と同様の効果を奏することができる。
【００６４】
図２１〜図２４は、補助具２０におけるパッド２１の変形例としてのパッド２２を説明するための図である。図２１〜図２４に示されるパッド２２は、基本的には図１６および図１７に示されるパッド２１と同様の構成を備えているが、板状部１の第２の主面１Ｂ上に第１の主面１Ａが位置する側と反対の方向に凸状に設けられている中間層部３をさらに備えている点で異なる。
【００６５】
図２１に示されるように、パッド２２は、凸部２および中間層部３が板状部１の長手方向に伸びる両端部１Ｅ間に延びるように形成されていてもよい。凸部２および中間層部３の平面形状は、たとえば略長方形状である。凸部２の端部２Ｅおよび中間層部３の端部３Ｅは板状部１の端部１Ｅと連なるように設けられており、中間層部３の端部３Ｄは、板状部１の端部１Ｄと凸部２の端部２Ｄとの間に位置するように設けられている。このような構成を備えるパッド２２は、図１６および図１７に示されるパッド２１と同様の効果を奏することができる。その結果、このようなパッド２２を備える補助具は、図１６に示される補助具２０と同様の効果を奏することができる。
【００６６】
図２２に示されるように、パッド２２は、板状部１の平面形状が楕円形状であり、凸部２の平面形状が円形状であってもよい。凸部２は、たとえば、平面視したときに板状部１に内接するように設けられている。この場合、第１および第２の固定部５，６は、たとえば楕円の円周に沿って設けられている板状部１の端部１Ｅにおいて凸部２から最も離れた位置にそれぞれ接続されている。このような構成を備えるパッド２２は、図１６および図１７に示されるパッド２１と同様の効果を奏することができる。その結果、このようなパッド２２を備える補助具は、図１６に示される補助具２０と同様の効果を奏することができる。
【００６７】
図２３に示されるように、パッド２２は、４隅に位置する角１Ｃが角丸でなく角であってもよい。このような構成を備えるパッド２２は、図１６および図１７に示されるパッド２１と同様の効果を奏することができる。その結果、このようなパッド２２を備える補助具は、図１６に示される補助具２０と同様の効果を奏することができる。
【００６８】
図２４に示されるように、パッド２２は、板状部１の長手方向に伸びる端部１Ｅの中央部が、その両端部（角１Ｃ）よりも板状部１の短手方向に凹んでいてもよい。また、板状部１の短手方向に伸びる端部１Ｄの中央部が、その両端部（角１Ｃ）よりも板状部１の長手方向に凹んでいてもよい。中間層部３の端部３Ｅの中央部は、その両端部（角３Ｃ）よりも板状部１の短手方向に凹んでいてもよい。凸部２の端部２Ｅの中央部は、その両端部（角２Ｃ）よりも板状部１の短手方向に凹んでいてもよい。このような構成を備えるパッド２２は、図１６および図１７に示されるパッド２１と同様の効果を奏することができる。その結果、このようなパッド２２を備える補助具は、図１６に示される補助具２０と同様の効果を奏することができる。
【００６９】
（実施の形態４）
次に、図２５を参照して、実施の形態５に係る補助具２３について説明する。補助具２３は、基本的には実施の形態３に係る補助具２０と同様の構成を備えているが、パッド２１を覆うように設けられているカバー４をさらに備えている点で異なる。
【００７０】
カバー４は、基本的には実施の形態２におけるカバー４と同様の構成を備えていればよい。このようにすれば、補助具２３におけるパッド２１は、実施の形態２に係るパッド１２と同様の効果を奏することができる。
【００７１】
補助具２３において、第１および第２の固定部５，６はカバー４に任意の方法により接続されていればよい。第１および第２の固定部５，６の延在方向における一方の端部５１，６１が、カバー４に設けられている接続部４１，４２に、たとえば縫着によりそれぞれ接続されていてもよい。カバー４の接続部４１，４２は、任意の方法により形成されていればよいが、カバー４の第１の部分４Ａおよび第２の部分４Ｂが１つの布状物が折り返されることにより構成されている場合には、接続部４１はたとえばカバー４における折り返し部分として形成されていてもよい。また、カバー４の第１の部分４Ａおよび第２の部分４Ｂがそれぞれ異なる布状物により構成されている場合には、接続部４１，４２はたとえば異なる布状物が縫着されている部分として形成されていてもよい。
【００７２】
上述したパッド１０〜１３，２１〜２２は、いずれも板状部１、凸部２、中間層部３がそれぞれ別体として構成されているが、これに限られるものでは無い。板状部１、凸部２、および中間層部３の少なくとも２つが、一体物として成形されていてもよい。このように構成されたパッドは、上述したパッド１０〜１３，２１〜２２と同様の効果を奏することができる。
【００７３】
また、上述したパッド１０〜１３，２１〜２２において、板状部１、凸部２、および中間層部３は、それぞれ第１の主面１Ａに垂直な方向における厚みが徐々に変化するように設けられていてもよい。たとえば、板状部１および中間層部３は、凸部２と重ならない領域（凸部２が位置していない領域）での当該厚みが、凸部２と重なる領域（凸部２が位置している領域）での当該厚みよりも凸部２から離れるにつれて徐々に薄くなるように設けられていてもよい。言い換えると、パッド１０〜１３，２１〜２２が上述のように配置されたときに図２６および図２７に示される膝裏の領域Ａ３に当接される板状部１または中間層部３の領域の上記厚みは、このとき図２６および図２７に示される膝裏の領域Ａ２に当接される板状部１または中間層部３の領域の上記厚みよりも薄く設けられていてもよい。このように構成されたパッド１０〜１３，２１〜２２であっても、装着者の立ち上がり動作をアシストすることができ、装着者が屈伸動作時に違和感や痛みを感じることを防止することができる。
【００７４】
図２８〜図３１を参照して、上述したパッド１０〜１３，２１〜２２において、凸部２は第１の主面１Ａ上において第２の主面１Ｂが位置する側と反対の方向に凸状に設けられていてもよい。図２８は、パッド１０，１１の変形例としてのパッド１４を説明するための図である。図２９は、パッド１２の変形例としてのパッド１８を説明するための図である。図３０は、パッド１３の変形例としてのパッド１９を説明するための図である。図３１は、補助具２０の変形例（パッド２１の変形例としてのパッド２４）を説明するための図である。凸部２は、曲面１Ｒよりも第１の主面１Ａの中央に位置する面上において、第２の主面１Ｂが位置する側と反対の方向に凸状に設けられていてもよい。凸部２は、第１の主面１Ａと接している面の反対側に位置する第５の主面２Ａを有している。この場合、凸部２および板状部１は、立ち上がり時において、装着された上腿または下腿と膝を挟んで対向する下腿または上腿の上記領域Ａ１に第５の主面２Ａが当接することにより、当該領域Ａ１に対し膝を伸長させる方向に作用する大きな反発力を付与可能に設けられている。このとき、パッド１４，１８，１９，２４は、凸部２が装着者の後身に向かって凸状となるように上腿または下腿に装着される。このような構成を備えるパッド１４，１８，１９，２４は、それぞれ上述したパッド１０〜１３，２１〜２２と同様の作用効果を奏することができる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１  板状部、１Ａ  第１の主面、１Ｂ  第２の主面、１Ｃ，２Ｃ，３Ｃ  角、１Ｄ，１Ｅ，２Ｄ，２Ｅ，３Ｄ，３Ｅ  端部、１Ｒ  曲面、２  凸部、２Ｂ  第３の主面、３  中間層部、３Ｂ  第４の主面、４  カバー、４Ａ  第１の部分、４Ｂ  第２の部分、４Ｒ  曲面部、５，６  第２の固定部、１０，１１，１２，１３，１４，１８，１９，２１，２２，２４  パッド、１５，１６，１７  衣服、２０，２３  補助具、３０  足部、３１  ポケット部材、４１，４２  接続部、５０  第１固定部材、６０  第２固定部材。
【図１】
2017014645.tif 000003
【図２】
2017014645.tif 000004
【図３】
2017014645.tif 000005
【図４】
2017014645.tif 000006
【図５】
2017014645.tif 000007
【図６】
2017014645.tif 000008
【図７】
2017014645.tif 000009
【図８】
2017014645.tif 000010
【図９】
2017014645.tif 000011
【図１０】
2017014645.tif 000012
【図１１】
2017014645.tif 000013
【図１２】
2017014645.tif 000014
【図１３】
2017014645.tif 000015
【図１４】
2017014645.tif 000016
【図１５】
2017014645.tif 000017
【図１６】
2017014645.tif 000018
【図１７】
2017014645.tif 000019
【図１８】
2017014645.tif 000020
【図１９】
2017014645.tif 000021
【図２０】
2017014645.tif 000022
【図２１】
2017014645.tif 000023
【図２２】
2017014645.tif 000024
【図２３】
2017014645.tif 000025
【図２４】
2017014645.tif 000026
【図２５】
2017014645.tif 000027
【図２６】
2017014645.tif 000028
【図２７】
2017014645.tif 000029
【図２８】
2017014645.tif 000030
【図２９】
2017014645.tif 000031
【図３０】
2017014645.tif 000032
【図３１】
2017014645.tif 000033